(57)【特許請求の範囲】
【請求項１】
薄板状のベース部材と、このベース部材の裏面に設けられて該ベース部材を商店の棚やケースの壁面等に繰返し貼着させる第１接着部と、上記ベース部材の表面に重合される透明なカバーと、相互に重合される上記ベース部材とカバーとのいずれか一方に設けられて他方を繰返し貼着する第２接着部と、上記ベース部材よりも小さい数字、記号等の複数種の表示シートとを備え、
上記ベース部材の表面は、アルコール系インクのサインペンで文字を書き込むことができ、かつその文字を容易に消去することができるホワイトボードとしてあり、また上記各表示シートは、それぞれの裏面に設けられて上記ベース部材に繰返し貼着される接着部を備えて、上記複数種の表示シートから選択した複数種の表示シートが上記ベース部材に貼着されるようになっていることを特徴とする店頭表示装置。
【請求項２】
上記ベース部材とカバーとは相互に分離可能となっていることを特徴とする請求項１に記載の店頭表示装置。
【請求項３】
上記ベース部材とカバーとは両者の外周側部分の一部が相互に分離不能に連結されていることを特徴とする請求項１に記載の店頭表示装置。
【請求項４】
上記第２接着部はカバー側に、該カバーの一辺に沿って帯状に設けられていることを特徴とする請求項１ないし請求項３のいずれかに記載の店頭表示装置。
【発明の詳細な説明】
【０００１】
【産業上の利用分野】
本発明は、店頭において商品の値段等を表示するのに適した店頭表示装置に関する。
【０００２】
【従来の技術】
従来、店頭において商品の値段等を表示するのにＰＯＰ用紙が広く用いられており、このＰＯＰ用紙に商品名や値段、或いは産地等を印刷したり書き込んだ後、該ＰＯＰ用紙をセロハンテープ等で棚やケースの壁面等に貼付けて来店客の注意を引きつけるようにしている。
【０００３】
【発明が解決しようとする課題】
しかしながらＰＯＰ用紙の多くは耐水性のない紙製のため、汚れたり破損され易かった。このため従来では、予め商品名、産地、値段等を書き込んだＰＯＰ用紙を透明なラミネート樹脂により密封して、汚れや破損から保護するようにしていた。しかしながらラミネート樹脂は一枚当たり約１００円と材料費が高いために経費がかさむといった欠点があった。
また、上記ＰＯＰ用紙やラミネート樹脂で覆ったＰＯＰ用紙はセロハンテープ等を用いて棚やケースに貼付けているためその作業が煩雑であり、しかもＰＯＰ用紙を剥す際に棚やケースの壁面にセロハンテープの接着剤が残って汚くなるといった欠点があった。
本発明は上述した事情に鑑み、汚れや破損に強く、しかも取扱いが容易で繰返し使用することができ、かつ経費を安く抑えることができる店頭表示装置を提供するものである。
【０００４】
【課題を解決するための手段】
すなわち、請求項１に記載の発明は、  薄板状のベース部材と、このベース部材の裏面に設けられて該ベース部材を商店の棚やケースの壁面等に繰返し貼着させる第１接着部と、上記ベース部材の表面に重合される透明なカバーと、相互に重合される上記ベース部材とカバーとのいずれか一方に設けられて他方を繰返し貼着する第２接着部と、上記ベース部材よりも小さい数字、記号等の複数種の表示シートとを備え、
上記ベース部材の表面は、アルコール系インクのサインペンで文字を書き込むことができ、かつその文字を容易に消去することができるホワイトボードとしてあり、また上記各表示シートは、それぞれの裏面に設けられて上記ベース部材に繰返し貼着される接着部を備えて、上記複数種の表示シートから選択した複数種の表示シートが上記ベース部材に貼着されるようになっていることを特徴とするものである。
【０００５】
【作用】
上記請求項１の発明によれば、ベース部材にカバーを重合させて両者を第２接着部で貼着することができるので、ホワイトボードに記載した文字を上記カバーによって保護することができる。したがってホワイトボードに記載した文字が消えることを防止することができる。また、必要な複数種の表示シートをベース部材に貼着することによりＰＯＰ用紙として用いることができ、またベース部材の裏面に設けた第１接着部により、容易に該ベース部材を商店の棚やケースの壁面等に貼着することができる。さらに第１接着部および第２接着部によりベースおよびカバーを繰返し使用することができるので、経費を安く抑えることができる。
【０００６】
【実施例】
以下図示実施例について本発明を説明すると、図１において、店頭表示装置１は、長方形のベース部材２と、このベース部材２と同一の大きさに形成されて、当該ベース部材２の表面に重合される透明（半透明を含む）なカバー３とを備えている。
上記ベース部材２は、図２に示すように、軟質な合成樹脂、例えばＰＥＴ樹脂から製造してあり、このベース部材２の裏面の前面に第１接着部４を設けている。
上記ベース部材２の表面は白色で滑らかなホワイトボードとしてあり、それによって当該ベース部材２の表面にアルコール系インクのサインペンで文字を書き込むことができ、かつその文字を容易に消去することができる。そしてそのホワイトボード上には、予め中央部の横線２ａや右下部の円表示２ｂといった必要事項が印刷してあり、これらは消去することができないようになっている。
上記ベース部材２の裏面に設けた第１接着部４は、例えば無数の細かい気泡により吸盤効果を有する材料（商品名パピラル）を用いることができ、それにより該第１接着部４を介して上記ベース部材２を商店の棚やケース等に繰返し貼着することができるようになっている。この第１接着部４としては上記パピラルに限定されるものではなく、ベース部材２を商店の棚やケース等に繰返し貼着することができれば、いかなる材料を用いてもよい。
【０００７】
他方、上記カバー３は軟質な合成樹脂、例えば透明なＰＥＴ樹脂から製造してあり、このカバー３の裏面すなわちベース部材２側となる表面の上下の辺に沿って、それぞれ細長い帯状の第２接着部５、５を設けている。
上記各第２接着部５、５は、例えば上記ベース部材２の第１接着部４と同一の材料を用いており、それにより該第２接着部５、５を介してカバー３の上下の辺をそれぞれベース部材２の表面に対して繰返し貼着することができるようにしている。そして、透明なカバー３の表面側の上下の辺に沿って着色してある不透明な幅広のテープ６を貼着してあり、各テープ６によって各第２接着部５、５が表面側から見えないように隠してある。
【０００８】
次に、本実施例では上記ベース部材２とカバー３との間にＰＯＰ用紙等の中間シート７を収容して保持することができるようになっている。この中間シート７は、その長辺（左右方向）の長さは上記ベース部材２の長さに略一致させているが、短辺（上下方向）の長さは両第２接着部５、５の間隔よりも小さく設定してあり、それによって該中間シート５が、上記カバー３の第２接着部５、５がベース部材２に接着するのを阻害することがないようにしてある。
そしてこの中間シート７には、予め商品名、値段、産地等を印刷し、又は書き込んである。
【０００９】
以上の構成によれば、中間シート７をベース部材２およびカバー３との間に介在させてカバー３の第２接着部５をベース部材２に貼着させれば、それによって中間シート７をベース部材２とカバー３とによって保持することができる。そしてこの状態で、ベース部材２の第１接着部４により、ベース部材２、中間シート７およびカバー３からなる店頭表示装置１を商店の棚やケース等に貼着することができる。
この状態では、上記中間シート７は、合成樹脂製で耐水性を有する上記ベース部材２とカバー３とによって覆われているため、水や汚れ等から保護され、該中間シート７の損傷を防止することができる。
そして上記中間シート７を差替える際には、店頭表示装置１一式をケース等から剥し、その状態で中間シート７をベース部材２とカバー３との脇の開口部分から引っ張り出したり、或いは一方の第２接着部５をベース部材２から剥して、剥した第２接着部５側からカバー３をめくりあげることにより中間シート７を取出したり、さらにはカバー３を完全にベース部材２から剥して分離させた状態で中間シート７を取出したりすることができる。このようにして中間シート７を取外したら、新たな中間シート７をベース部材２とカバー３との間に保持させればよい。
このとき、第１接着部４および第２接着部５は繰返し貼着することができるので、それに伴ってベース部材２およびカバー３とを繰返し使用することができる。
【００１０】
また、上記店頭表示装置１のベース部材２はホワイトボードとしても使用することができる。この際にはアルコール系インクのサインペンを用いて、例えば上記横線２ａの上方に商品名を、下方に円表示２ｂを利用して金額を書き込めばよく、その後に中間シート７を介在させることなく、カバー３をベース部材２に貼着すればよい。
したがって、ベース部材２の表面に書き込まれた文字はカバー３によって覆われているので、人や物がカバー３に接触するようなことがあっても書き込まれた文字等が簡単に消えることはない。
【００１１】
このとき、図３に示すように、上記ベース部材２よりも小さい数字、記号等の複数種の表示シート８ａ、８ｂ、８ｃ、………８ｎを準備しておき、サインペンでベース部材２に文字を書く代わりに、或いはそれとともに必要な表示シートを選択して用いるようにしてもよい。
本実施例では、各表示シート８ａ、８ｂ、８ｃ、………８ｎはベース部材２と同様にその裏面全域に接着部を設けてあるが、表示シート８ａ、８ｂ、８ｃ、………８ｎの厚さはベース部材２の厚さよりも薄くしてある。
【００１２】
なお、上記実施例では、ベース部材２からカバー３を完全に分離させることができるようになっているが、これに限定されるものではなく、例えばベース部材２とカバー３との上辺を相互に分離不能に連結してもよい。
さらに、上記第２接着部５、５は必ずしもカバー３側に設ける必要はなく、ベース部材２側に設けてもよい。
【００１３】
【発明の効果】
以上のように、本発明の店頭表示装置によれば、汚れや破損に強く、しかも取扱いが容易で、かつ経費を低く抑えることができるという効果が得られる。
【図面の簡単な説明】
【図１】本発明の一実施例を示す斜視図。
【図２】図１の店頭表示装置１を組み立てた状態を示す側面図。
【図３】本発明に用いる表示シート８ａ、８ｂ、８ｃ、………８ｎの斜視図。
【符号の説明】
１…店頭表示装置              ２…ベース部材
３…カバー                    ４…第１接着部
５…第２接着部                ６…テープ
７…中間シート                ８ａ、８ｂ、８ｃ、８ｎ…表示シート
【図１】
0004157989.tif 000002
【図２】
0004157989.tif 000003
【図３】
0004157989.tif 000004